【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
複合チャージを輪郭成形部品に成形する装置であって：
その間でチャージを成形することができる第１ダイス及び第２ダイスであって、第１ダイスが、個別に変位可能であり、且つ変更可能なダイスの輪郭を形成している複数の第１ダイス部を有する、第１ダイス及び第２ダイスと、
第１ダイス部をそれぞれ変位させる複数の第１アクチュエータと、
第１アクチュエータを制御して第１ダイス部を変位させて所望の輪郭を形成する、プログラムされたコントローラと
を含む装置。
【請求項２】
複合チャージが実質的に平坦なチャージであり、第２ダイスが複数の個別に変位可能な第２ダイス部を含み、装置がさらに：
個別に変位可能な第２ダイス部をそれぞれ変位させて第１ダイスに接触させてチャージを成形する、コントローラに連結された複数の第２アクチュエータと、
チャージが成形される時に、チャージの張力を実質的に維持する第２アクチュエータを操作するシーケンスを計算するためにコントローラによって使用されるプログラムと
を含む、請求項１に記載の装置。
【請求項３】
第１ダイス部が接触して反発できる、複数の第１アンビルと、
第２ダイス部が接触して反発できる、複数の第２アンビルと
をさらに含む、請求項２に記載の装置。
【請求項４】
フレームと、
複数の第１及び第２アンビルを、相互に向かって又相互から離れるように変位するように装着させるためのフレーム上の手段と
をさらに含む、請求項３に記載の装置。
【請求項５】
第１ダイス部が装着されている柔軟なトレイと、
第２ダイス部が装着されている柔軟な受け板と
をさらに含む、請求項２に記載の装置。
【請求項６】
その上に第１ダイスが装着されているポータブル搬送台と、
その上に第２ダイスが装着されているフレームと、
チャージの成形中に、ポータブル搬送台を第２フレームに解除可能に連結させる、解除可能な連結器であって、ポータブル搬送台をフレームから分離することが可能なように解除可能である連結器と
をさらに含む、請求項１に記載の装置。
【請求項７】
複数方向に自由に動くように第１ダイス部を装着する手段
をさらに含む、請求項１に記載の装置。
【請求項８】
装着手段が柔軟なトレイを含み、
第１ダイス部が柔軟なトレイ上に装着されている
請求項７に記載の装置。
【請求項９】
輪郭成形複合部品を成形する方法であって：
複合チャージを個別に変位可能な第１及び第２ダイスの間に配置し；
第１及び第２ダイスを使用して、チャージの一部を部品の最も鋭角的な輪郭に成形し；
第１及び第２ダイスを使用して、チャージの残り部分を部品の他の輪郭に成形し、これにはチャージの残り部分が成形される時にチャージの張力を維持することが含まれる
ことからなる方法。
【請求項１０】
チャージの張力を維持することが、チャージの残り部分を、最も鋭角的な輪郭よりも徐々に鋭角さが緩和される他の輪郭に連続的に成形することによって実施される、請求項９に記載の方法。
【請求項１１】
第１及び第２ダイスを使用して、チャージの一部を部品の最も鋭角的な輪郭に成形することが：
第１ダイスの輪郭を複合部品の輪郭に実質的に一致するように調節し、
輪郭が最も鋭角的な部位において、複数の第２ダイス部を複数の第１ダイス部に接触させて閉じる
ことを含む、請求項９に記載の方法。
【請求項１２】
第１及び第２ダイスを使用して、チャージの残り部分を部品の他の輪郭に成形することが、チャージを最も鋭角的な輪郭から上方向に成形することを含む、請求項９に記載の方法。
【請求項１３】
第１及び第２ダイスを使用して、チャージの残り部分を部品の他の輪郭に成形することが、チャージを最も鋭角的な輪郭から下方向に成形することを含む、請求項９に記載の方法。
【請求項１４】
第１及び第２ダイスを使用して、チャージの一部を部品の最も鋭角的な輪郭に成形することが、一つの第１ダイス部のみを変位させてチャージと係合させることを含む、請求項９に記載の方法。
【手続補正２】
【補正対象書類名】明細書
【補正対象項目名】００１４
【補正方法】変更
【補正の内容】
【００１４】
態様９．複合チャージを成形部品に成形する装置であって、この装置は：
チャージをその間で成形できる第１ダイス及び第２ダイスと、
成形されるべき部品の輪郭と一致する輪郭を有する第１ダイスと、
複数のダイス部を含む第２ダイスと、
チャージが成形される際に複合チャージの張力を実質的に維持する、所定のシーケンスにおいて第１ダイスに接触させて第２ダイスのダイス部を閉じる手段
を含む。
態様１０．第１ダイスが、柔軟なダイストレイと、ダイストレイに装着された複数のダイス部を含む、態様９に記載の装置。
【手続補正３】
【補正対象書類名】明細書
【補正対象項目名】００１５
【補正方法】変更
【補正の内容】
【００１５】
態様１１．ダイストレイに接続され、ダイストレイを支持する複数のロッドと、
ロッドを互いに個別に移動させて、第１ダイスの輪郭を変更する手段
をさらに含む、態様１０に記載の装置。
態様１２．第１ダイスが装着されたポータブル搬送台と、
第２ダイスが装着されたフレームと、
ポータブル搬送台をフレームに取り外し可能に連結させる手段
をさらに含む、態様９に記載の装置。
【手続補正４】
【補正対象書類名】明細書
【補正対象項目名】００１６
【補正方法】変更
【補正の内容】
【００１６】
態様１３．第２ダイスのダイス部を閉じる手段は：
ダイス部をそれぞれ変位させる複数のアクチュエータと；
アクチュエータの操作を制御するコントローラ
を含む、態様９に記載の装置。
態様１４．第２ダイスのダイス部を閉じる手段は：
部品の輪郭を定義する一連のデータと；
アルゴリズムを定義し、アクチュエータの操作を制御するためにコントローラによって使用される一連のプログラムされた命令
を含む、態様１３に記載の装置。
【手続補正５】
【補正対象書類名】明細書
【補正対象項目名】００１７
【補正方法】変更
【補正の内容】
【００１７】
態様１５．第１ダイスが複数のダイス部を含み、装置がさらに：
第１ダイスのダイス部を、相互に変位させるために装着する手段であって、第１ダイスの輪郭を変更することを可能にする手段と；
第１ダイスのダイス部をそれぞれ変位させる複数のアクチュエータと；
アクチュエータの操作を制御するための、コントローラと一連のプログラムされた命令を含む制御手段
を含む、態様９に記載の装置。
態様１６．複合チャージを成形部品に成形する装置であって：
複合チャージを成形する成形機械と；
成形機械から離れるように成形部品を搬送するポータブル搬送台と；
その間にチャージを成形可能な第１ダイス及び第２ダイスであって、第１ダイスがポータブル搬送台に装着されており、第２ダイスが成形機械に装着されている第１ダイス及び第２ダイスと；
ポータブル搬送台を成形機械に取り外し可能に連結させる手段
を含む装置。
【手続補正６】
【補正対象書類名】明細書
【補正対象項目名】００１８
【補正方法】変更
【補正の内容】
【００１８】
態様１７．ポータブル搬送台は：
フレームと、
フレームに支持され、第１ダイスが装着されているトレイ
を含む、態様１６に記載の装置。
態様１８．ポータブル搬送台は、トレイをフレームに取り外し可能に連結させてトレイをフレームから取り外しできるようにする手段を含む、態様１６に記載の装置。
【手続補正７】
【補正対象書類名】明細書
【補正対象項目名】００１９
【補正方法】変更
【補正の内容】
【００１９】
態様１９．取り外し可能な連結手段は：
複数の突起部と、
取り外し可能に突起部をつかむための、突起部にそれぞれ付随する複数のグリッパ
を含む、態様１６に記載の装置。
態様２０．突起部が成形機械の上にあり、
グリッパがポータブル搬送台の上にある、
態様１６に記載の装置。
【手続補正８】
【補正対象書類名】明細書
【補正対象項目名】００２０
【補正方法】変更
【補正の内容】
【００２０】
態様２１．第１ダイスが、
第１ダイスの輪郭を再構成するための、複数の個別に移動可能な部分と、
ダイス部を動かないようにロックすることによって、第１ダイスの輪郭を固定する、ポータブル搬送台上の手段を含む、態様１６に記載の装置。
態様２２．第１ダイスが、個別に移動することができ、所望のダイス輪郭を成形する、複数のダイス部を含み、
成形機械が、ダイス部をそれぞれ移動させる複数のアンビルを含み、
取り外し可能な連結手段が、ポータブル搬送台をつかむアンビル上のグリッパを含む、
態様１６に記載の装置。
【手続補正９】
【補正対象書類名】明細書
【補正対象項目名】００２１
【補正方法】変更
【補正の内容】
【００２１】
態様２９．チャージが輪郭を有する部品に成形されている際に、複合チャージの皺を低減する方法であって：
チャージの第１部分を輪郭の比較的鋭角的な部分に成形し；
次に、チャージの他の部分を輪郭の他の部分に成形し、これにはチャージの他の部分が成形される際に、チャージの張力を維持することが含まれる
ことからなる方法。
態様３０．チャージの他の部分を成形することが、チャージの複数部分を輪郭の鋭角的な部分から上に向かって輪郭の複数部分に成形することを含む、態様２９に記載の方法。
【手続補正１０】
【補正対象書類名】明細書
【補正対象項目名】００２２
【補正方法】変更
【補正の内容】
【００２２】
態様３１．チャージの他の部分を成形することが、チャージの複数部分を輪郭の鋭角的な部分から下に向かって輪郭の複数部分に成形することを含む、態様２９に記載の方法。
態様３２．チャージの他の部分を成形することが、チャージの複数部分を、輪郭の比較的鋭角的な部分の鋭角さが徐々に緩和される輪郭の複数部分に連続して成形することを含む、態様２９に記載の方法。
【手続補正１１】
【補正対象書類名】明細書
【補正対象項目名】００２３
【補正方法】変更
【補正の内容】
【００２３】
態様３３．複合チャージを成形複合部品に成形する方法であって：
複数の部品の輪郭を表す輪郭データをそれぞれ含む複数のデータファイルを保存し；
成形されるべき部品を選択し；
データファイルのうちの一つから選択された部品に関する輪郭データを読み出し；
読み出した輪郭データを使用して、チャージが成形されている時にチャージの張力を維持する、２つのダイス間の相対変位を計算し；
ダイス間のチャージを成形し、これには計算された変位にしたがってダイスを相対的に変位させることが含まれる
ことからなる方法。
態様３４．読み出した輪郭データを使用して、ダイスの内の一つの輪郭を再構成して選択部品の輪郭と一致させる
ことをさらに含む、態様３３に記載の方法。
【手続補正１２】
【補正対象書類名】明細書
【補正対象項目名】００２４
【補正方法】変更
【補正の内容】
【００２４】
態様３５．チャージを成形することが、ダイスのうちの一つのダイスの各複数部分を他のダイスに向かって個別に変位させることを含み、
相対変位を計算することが、複数部分を他のダイスに向かって移動させるシーケンスを計算することを含む、
態様３３に記載の方法。
態様３６．チャージを成形することが、
ダイスを使用してチャージの一部分を輪郭の最も鋭角的な部位に成形し、
ダイスを使用してチャージの残りの部分を輪郭の他の部位に成形し、これにはチャージの残りの部分が成形される際にチャージの張力を維持することが含まれる
ことを含む、態様３３に記載の方法。
【手続補正１３】
【補正対象書類名】明細書
【補正対象項目名】００２５
【補正方法】変更
【補正の内容】
【００２５】
態様３７．チャージの張力を維持することが、チャージの残りの部分を、輪郭の最も鋭角的な部分よりも徐々に鋭角さが緩和されている輪郭の他の部位に連続的に成形することにより行われる、態様３６に記載の方法。
態様３８．チャージを成形することが、チャージの複数部分を、徐々に鋭角さが緩和されている輪郭の複数部分に連続的に成形することを含む、態様３３に記載の方法。
【手続補正１４】
【補正対象書類名】明細書
【補正対象項目名】００２６
【補正方法】変更
【補正の内容】
【００２６】
態様３９．製造方法であって：
第１ダイスを成形機械に配置し；
第２ダイスをポータブル搬送台に配置し；
第１及び第２ダイスが相互に整合された状態にあるように、ポータブル搬送台を成形機械に連結させ；
第１及び第２ダイスを使用して、複合チャージを成形部品に成形し；
成形部品が成形された後に、成形機械からポータブル搬送台を外し；
ポータブル搬送台を使用して、成形機械から離れるように成形部品を搬送し、これには成形部品が搬送される際に、第２ダイスを使用して成形部品を支持することが含まれる
ことからなる方法。
態様４０．第２ダイスをポータブル搬送台に配置することが：
第２ダイスをトレイ上に配置し、
トレイをポータブル搬送台に装着する
ことを含む、態様３９に記載の方法。
【手続補正１５】
【補正対象書類名】明細書
【補正対象項目名】００２７
【補正方法】変更
【補正の内容】
【００２７】
態様４１．成形部品がトレイ上の第２ダイスに支持されている間に、ポータブル搬送台からトレイを取り外し；
トレイを使用して基板上に成形部品を配置する
ことをさらに含む、態様３９に記載の方法。
態様４２．トレイを取り外すことが、トレイとポータブル搬送台の間の接続部を開放することを含む、態様４１に記載の方法。
【手続補正１６】
【補正対象書類名】明細書
【補正対象項目名】００２８
【補正方法】変更
【補正の内容】
【００２８】
態様４３．トレイを配置機械に装着し；
配置機械を使用して、トレイを表面に移動し、成形部品を基板上に配置する
ことをさらに含む、態様３９に記載の方法。
態様４４．成形によって生じるチャージの皺が低減される、平坦な複合チャージを使用して航空機の成形構造部材を成形する方法であって：
第２ダイスの輪郭を調節し、これには複数の第１アクチュエータを使用し、第２ダイスの複数部分を構造部材の輪郭と実質的に一致するように調節することが含まれ；
第２ダイスと第１ダイスの間に、実質的に平坦な複合チャージを配置し；
チャージの第１部分を、構造部材の輪郭の比較的鋭角的な部分に成形し、これには第２アクチュエータ一式を使用して第１ダイスの複数部分を第２ダイスに相対的に変位させることが含まれ；
チャージの他の部分を、輪郭の比較的鋭角的な部分よりも鋭角さが緩和されている構造部材の輪郭の他の部分に成形し、これには第２アクチュエータ一式を使用して第２ダイスの他の部分を変位させることが含まれ；
プログラムされたコントローラを使用して、アクチュエータを操作する
ことからなる方法。
【手続補正１７】
【補正対象書類名】明細書
【補正対象項目名】００２９
【補正方法】変更
【補正の内容】
【００２９】
態様４５．実質的に平坦な複合チャージを、実質的に皴のない航空機の輪郭成形構造部材に成形する装置であって：
その間にチャージを成形することができる第１及び第２ダイスと、
任意の複数の輪郭を成形するために調節可能な複数のダイス部を含む第１ダイスと、
複数の個別に変位可能なダイス部を含む第２ダイスと、
調節可能なダイス部をそれぞれ調節する複数の第１アクチュエータと、
個別に変位可能なダイス部を変位させてチャージの複数部分を成形する複数の第２アクチュエータと、
チャージを成形可能な輪郭をそれぞれ定義する複数のデータセットと、
第１及び第２アクチュエータ一式の操作を制御するプログラムされたコントローラ
を含む装置。